(57)【要約】【課題】患者が携行する機器として、患者を特定するための患者情報が付され病院スタッフを呼び出すための呼出機能を有した無線発信機を適用する。【解決手段】ナースコール親機５のデータベース５００に関連付けられて（予め）記憶されている患者情報から少なくとも識別ＩＤ、または患者ＩＤを読み出して看護師が携行する端末装置６ａ、６ｂ、・・・の端末データベースに保存させた後、端末装置に有線若しくは無線で接続、または当該端末装置に設けられるリーダ７ａ、７ｂ、・・・、８ａ、８ｂ、・・・にて、患者が携行するナースコール用無線呼出発信機１ａ、１ｂ、・・・に取り付けられたバーコードまたは無線タグに付されている自己の識別ＩＤと同一のＩＤ、または患者ＩＤを読み取り、読み取られたＩＤと端末データベースに（予め）保存されている識別ＩＤ、または患者ＩＤとを比較手段により比較し、一致した場合は、表示手段により患者情報を表示させる。【選択図】  図１
2005026791.tif 000002
【特許請求の範囲】
【請求項１】
自己の識別ＩＤが記憶され患者が携行し看護師を呼び出すための呼出ボタン（１００）を備えたナースコール用無線呼出発信機（１ａ、１ｂ、・・・）と、前記ナースコール用無線呼出発信機から発信された呼出信号を無線にて受信し前記呼出信号を有線で送信するためのナースコール用呼出送受信機（２ａ、２ｂ、・・・）と、前記ナースコール用呼出送受信機からの前記呼出信号を受信し前記看護師に前記患者からの呼び出しを報知するためのナースコール親機（５）とから構成され、
前記ナースコール用無線呼出発信機には、前記識別ＩＤと同一のＩＤをバーコード（１０１ａ）または無線タグ（１０１ｂ）により付することを特徴とするナースコールシステム。
【請求項２】
患者が携行し看護師を呼び出すための呼出ボタン（１００）を備えたナースコール用無線呼出発信機（１ａ、１ｂ、・・・）と、前記ナースコール用無線呼出発信機から発信された呼出信号を無線にて受信し前記呼出信号を有線で送信するためのナースコール用呼出送受信機（２ａ、２ｂ、・・・）と、前記ナースコール用呼出送受信機からの前記呼出信号を受信し前記看護師に前記患者からの呼び出しを報知するためのナースコール親機（５）とから構成され、
前記ナースコール用無線呼出発信機には、前記患者毎に設定された患者ＩＤをバーコード（１０１ａ’）または無線タグ（１０１ｂ’）により付することを特徴とするナースコールシステム。
【請求項３】
前記識別ＩＤ、患者名、救護区分、性別等の患者情報がそれぞれ関連付けられて記憶されているデータベース（５００）と、前記看護師が携行し前記データベースの患者情報から少なくとも前記識別ＩＤを読み出して端末データベース（６０３）を作成し保存するための端末装置（６ａ、６ｂ、・・・）と、前記バーコードまたは前記無線タグを読み取るためのリーダ（７ａ、７ｂ、・・・、８ａ、８ｂ、・・・）とを備え、
前記端末装置は、前記リーダにて読み取られた識別ＩＤと前記端末データベースに保存された識別ＩＤとを比較するための比較手段（６０４）と、前記比較手段にて比較された識別ＩＤが一致した場合は前記患者情報を表示するための表示手段（６０５）とを備えたことを特徴とする請求項１記載のナースコールシステム。
【請求項４】
前記患者ＩＤ、患者名、救護区分、性別等の患者情報がそれぞれ関連付けられて記憶されているデータベース（５００）と、前記看護師が携行し前記データベースの患者情報から少なくとも前記患者ＩＤを読み出して端末データベース（６０３）を作成し保存するための端末装置（６ａ、６ｂ、・・・）と、前記バーコードまたは前記無線タグを読み取るためのリーダ（７ａ、７ｂ、・・・、８ａ、８ｂ、・・・）とを備え、
前記端末装置は、前記リーダにて読み取られた患者ＩＤと前記端末データベースに保存された患者ＩＤとを比較するための比較手段（６０４）と、前記比較手段にて比較された患者ＩＤが一致した場合は前記患者情報を表示するための表示手段（６０５）とを備えたことを特徴とする請求項２記載のナースコールシステム。
【請求項５】
前記リーダは、前記端末装置に有線若しくは無線で接続され、または前記端末装置に設けられていることを特徴とする請求項３または請求項４記載のナースコールシステム。
【請求項６】
前記データベースは、前記ナースコール親機に設けられていることを特徴とする請求項３または請求項４記載のナースコールシステム。
【発明の詳細な説明】
【０００１】
【発明の属する技術分野】
本発明はナースコールシステムに係り、特に、患者にとって携行性に優れ使い勝手がよく利便性が高められたナースコールシステムに関する。
【０００２】
【従来の技術】
従来から、この種のナースコールシステムとして、患者から名前を聞く必要がなく、また、病院スタッフが自ら照合確認の判断をする必要もなく、注射薬と患者との照合確認を簡単に、しかも確実に行うことができる処置確認システム及び携帯型照合装置が提案されている（例えば、特許文献１参照）。
【０００３】
従来例をなす処理確認システムおよび携帯型照合装置によれば、患者の身体に装着されたリストバンドと注射薬に貼り付けられた照合ラベルとに同じ（同一の）患者特定情報をバーコードの形態で印字し、リストバンドと照合ラベルとから読み込んだ患者特定情報を照合するように携帯型照合装置を構成しているので、患者から名前を聞いたり、処置（看護業務）にあたる病院スタッフ、例えば、医療従事者である医師や看護師等の判断を必要としないばかりでなく、装置の不具合による照合ミスもなくなるので、簡単に非常に信頼性の高い処置確認を実行することができる。
【０００４】
【特許文献１】特開２００２−７３８２１号公報（段落番号００１０、００１２）
【０００５】
【発明が解決しようとする課題】
しかしながら、従来例の処理確認システム及び携帯型照合装置において、身体にリストバンドが装着された患者が病院スタッフ、例えば、医療従事者である医師や看護師等を呼び出すためには、当該リストバンドとは別途に呼出機能を有する無線発信機を携行せねばならず、患者にとって使い勝手が悪く煩雑さを有していた。
【０００６】
本発明は、上述の難点を解消するためになされたもので、患者が携行する機器として、患者を特定するための患者情報が付され病院スタッフ、例えば、医療従事者である医師や看護師等を呼び出すための呼出機能を有した無線発信機を適用することにより、患者にとって携行性に優れ使い勝手がよく利便性が高められたナースコールシステムを提供することを目的としている。
【０００７】
【課題を解決するための手段】
上述の目的を達成するため、本発明のナースコールシステムは、自己の識別ＩＤが記憶され患者が携行し看護師を呼び出すための呼出ボタンを備えたナースコール用無線呼出発信機と、ナースコール用無線呼出発信機から発信された呼出信号を無線にて受信し呼出信号を有線で送信するためのナースコール用呼出送受信機と、ナースコール用呼出送受信機からの呼出信号を受信し看護師に患者からの呼び出しを報知するためのナースコール親機とから構成される。ナースコール用無線呼出発信機には、識別ＩＤと同一のＩＤをバーコードまたは無線タグにより付している。
【０００８】
また、本発明のナースコールシステムは、識別ＩＤ、患者名、救護区分、性別等の患者情報がそれぞれ関連付けられて記憶されているデータベースと、看護師が携行しデータベースの患者情報から少なくとも識別ＩＤを読み出して端末データベースを作成し保存するための端末装置と、バーコードまたは無線タグを読み取るためのリーダとを備えている。端末装置は、リーダにて読み取られた識別ＩＤと端末データベースに保存された識別ＩＤとを比較するための比較手段と、比較手段にて比較された識別ＩＤが一致した場合は患者情報を表示するための表示手段とを備えている。
【０００９】
また、本発明のナースコールシステムにおいて、リーダは、端末装置に有線若しくは無線で接続され、または端末装置に設けられている。
【００１０】
また、本発明のナースコールシステムにおいて、データベースは、ナースコール親機に設けられている。
【００１１】
このようなナースコールシステムによれば、ナースコール親機のデータベースに関連付けられて（予め）記憶されている識別ＩＤ、患者名、救護区分、性別等の患者情報から少なくとも識別ＩＤを読み出して看護師が携行する端末装置の端末データベースに保存させた後、端末装置に有線若しくは無線で接続、または当該端末装置に設けられるリーダにて、患者が携行するナースコール用無線呼出発信機に取り付けられたバーコードまたは無線タグに付されている自己の識別ＩＤと同一のＩＤを読み取り、読み取られたＩＤと端末データベースに（予め）保存されている識別ＩＤとを比較手段により比較させ、一致した場合は、表示手段により患者情報を表示させることができる。
【００１２】
また、上述の目的を達成するため、本発明のナースコールシステムは、患者が携行し看護師を呼び出すための呼出ボタンを備えたナースコール用無線呼出発信機と、ナースコール用無線呼出発信機から発信された呼出信号を無線にて受信し呼出信号を有線で送信するためのナースコール用呼出送受信機と、ナースコール用呼出送受信機からの呼出信号を受信し看護師に患者からの呼び出しを報知するためのナースコール親機とから構成される。ナースコール用無線呼出発信機には、患者毎に設定された患者ＩＤをバーコードまたは無線タグにより付している。
【００１３】
また、本発明のナースコールシステムは、患者ＩＤ、患者名、救護区分、性別等の患者情報がそれぞれ関連付けられて記憶されているデータベースと、看護師が携行しデータベースの患者情報から少なくとも患者ＩＤを読み出して端末データベースを作成し保存するための端末装置と、バーコードまたは無線タグを読み取るためのリーダとを備えている。端末装置は、リーダにて読み取られた患者ＩＤと端末データベースに保存された患者ＩＤとを比較するための比較手段と、比較手段にて比較された患者ＩＤが一致した場合は患者情報を表示するための表示手段とを備えている。
【００１４】
また、本発明のナースコールシステムにおいて、リーダは、端末装置に有線若しくは無線で接続され、または端末装置に設けられている。
【００１５】
また、本発明のナースコールシステムにおいて、データベースは、ナースコール親機に設けられている。
【００１６】
このようなナースコールシステムによれば、ナースコール親機のデータベースに関連付けられて（予め）記憶されている患者ＩＤ、患者名、救護区分、性別等の患者情報から少なくとも患者ＩＤを読み出して看護師が携行する端末装置の端末データベースに保存させた後、端末装置に有線若しくは無線で接続、または当該端末装置に設けられるリーダにて患者が携行するナースコール用無線呼出発信機に取り付けられたバーコードまたは無線タグに付されている患者ＩＤを読み取り、読み取られた患者ＩＤと端末データベースに（予め）保存されている患者ＩＤとを比較手段により比較させ、一致した場合は、表示手段により患者情報を表示させることができる。
【００１７】
【発明の実施の形態】
以下、本発明のナースコールシステムを適用した好ましい形態の実施例について、図面を参照して説明する。
【００１８】
図１は、本発明の実施例によるナースコールシステムを示すシステム構成図である。
【００１９】
図１のシステム構成図に示すナースコールシステムは、「１０１号室」、「１０２号室」、・・・のように個別の部屋番号（詳述せず）が割り当てられた病室内の各病床の患者が当該病床を離れた移動時等において携行（患者の身体に装着する旨を含む）し、医療従事者である医師や看護師等、例えば、ナースセンター内に在室中の看護師や後述する無線子機９ａ、９ｂ、・・・を携行しながら病院内を巡回中の看護師のうち受け持ち（担当）の看護師に対して通常のナースコール呼び出しを行う自己の識別ＩＤ（詳述せず）が記憶されたナースコール用無線呼出発信機１ａ、１ｂ、・・・と、病室内および／または廊下に取り付けられており、呼出操作が行われたナースコール用無線呼出発信機１ａ、１ｂ、・・・から発信される呼出信号を無線にて受信し、受信された呼出信号を送受信機ラインＬ１、Ｌ１、・・・を介して後述する集合廊下灯４ａ、４ｂ、・・・へと有線で送信するためのナースコール用呼出送受信機２ａ、２ｂ、・・・と、病室内の各病床に設置されており、病床の患者が医療従事者である医師や看護師等に対して通常のナースコール呼び出し、緊急を要する緊急呼び出し、トイレ介助呼び出し等の呼出種別が異なる呼び出しを行い通話を成立させるための音声を入出力するナースコール子機３ａ、３ｂ、・・・、３ａ、３ｂ、・・・、・・・と、病室毎に設置、例えば、各病室の出入口（出入口近傍）である廊下先に設置されており、送受信機ラインＬ１、Ｌ１、・・・を介して接続されたナースコール用呼出送受信機２ａ、２ｂ、・・・からの呼出信号、またはナースコール子機ラインＬ２、Ｌ２、・・・、Ｌ２、Ｌ２、・・・、・・・を介して接続されたナースコール子機３ａ、３ｂ、・・・、３ａ、３ｂ、・・・、・・・からの呼出信号を検出して呼出種別毎で異なる表示を行うとともに、当該呼出信号を廊下灯ラインＬ５を介して後述するナースコール制御機１２へと有線で送信するための個別の廊下灯番号（詳述せず）を有する集合廊下灯４ａ、４ｂ、・・・と、ナースセンター内に設置されており、ナースコール用無線呼出発信機１ａ、１ｂ、・・・、またはナースコール子機３ａ、３ｂ、・・・、３ａ、３ｂ、・・・、・・・からの呼び出しがあることを呼出種別毎異なるパターンの呼出音やメッセージを出力させて報知（呼出報知）するとともに、これを確認したナースセンター内に在室中の看護師が呼出元である病床の患者との間で通話を成立させるための音声を入出力するナースコール通話部５ａと、ナースセンター内に設置され親機機器間ラインＬ３を介して接続されたナースコール通話部５ａとでナースコール親機５を構成し、ナースコール用無線呼出発信機１ａ、１ｂ、・・・、またはナースコール子機３ａ、３ｂ、・・・、３ａ、３ｂ、・・・、・・・からの呼び出しがあることを呼出種別毎異なるパターンで表示するとともに、図示しない病院内ネットワークやオーダリングシステムから定期的に転送、例えば、患者の入院時や病床の移動時等に転送されてくる上述の識別ＩＤ、患者毎に設定された患者ＩＤ、患者名、救護区分、性別等の患者情報がそれぞれ関連付けられて記憶されるデータベース（以下、親機データベースという。）５００が設けられたナースコール用データベース装置５ｂと、医療従事者である医師や看護師等、例えば、病院内を巡回中の看護師により携行されており、ナースコール親機５をなすナースコール用データベース装置５ｂに設けられたデータベース５００に（予め）記憶されている患者情報から少なくとも識別ＩＤ、および／または患者ＩＤを読み出して後述する端末データベース６０３を作成し保存するためのＰＤＡ（Ｐｅｒｓｏｎａｌ  Ｄｉｇｉｔａｌ  Ａｓｓｉｓｔａｎｔｓ）等の端末装置６ａ、６ｂ、・・・と、端末装置６ａ、６ｂ、・・・に有線若しくは無線で接続、または当該装置に設けられており、ナースコール用無線呼出発信機１ａ、１ｂ、・・・に取り付けられた後述する一次元バーコードや二次元バーコード（二次元コード）等のバーコード１０１ａ（１０１ａ’）に付されている識別ＩＤと同一のＩＤ、および／または患者ＩＤを読み取るためのリーダ（以下、バーコードリーダという。）７ａ、７ｂ、・・・と、バーコードリーダ７ａ、７ｂ、・・・と同様、端末装置６ａ、６ｂ、・・・に有線若しくは無線で接続、または当該装置に設けられており、ナースコール用無線呼出発信機１ａ、１ｂ、・・・に取り付けられた後述する無線タグ１０１ｂ（１０１ｂ’）に付されている識別ＩＤと同一のＩＤ、および／または患者ＩＤを読み取るためのリーダ（以下、無線タグリーダという。）８ａ、８ｂ、・・・と、医療従事者である医師や看護師等、例えば、病院内を巡回中の看護師により携行されており、ナースコール用無線呼出発信機１ａ、１ｂ、・・・、またはナースコール子機３ａ、３ｂ、・・・、３ａ、３ｂ、・・・、・・・からの呼び出しがあることを呼出種別毎異なるパターンで表示、呼出音やメッセージを出力させて報知（呼出報知）するとともに、これを確認した看護師が呼出元である病床の患者との間で通話を成立させるための音声を入出力する個別の無線子機番号（詳述せず）を有するＰＨＳ（Ｐｅｒｓｏｎａｌ  Ｈａｎｄｙｐｈｏｎｅ  Ｓｙｓｔｅｍ）等の無線子機９ａ、９ｂ、・・・と、無線子機９ａ、９ｂ、・・・を無線制御するための無線基地局１０と、基地局ラインＬ４を介して接続された無線基地局１０を制御（回線制御）するためのデジタル方式の交換機１１と、廊下灯ラインＬ５を介して集合廊下灯４ａ、４ｂ、・・・、通話部ラインＬ６を介してナースコール親機５をなすナースコール通話部５ａ、交換機ラインＬ７を介して交換機１１をそれぞれ接続する中継器としてナースセンター内、または病院内の共用部に設置されており、これら接続された機器を制御するためのナースコール制御機１２とから構成されている。
【００２０】
また、本発明の実施例によるナースコールシステムにおいて、ナースコール用無線呼出発信機１ａ、１ｂ、・・・は、それぞれ同様な構成であり、図２（ａ）、（ｂ）の各拡大構成図に示すように、当該ナースコール用無線呼出発信機を携行している患者がナースセンター内に在室中の看護師、および／または無線子機９ａ、９ｂ、・・・を携行しながら病院内を巡回中の看護師のうち受け持ち（担当）の看護師に対して通常のナースコール呼び出しを行うために操作する呼出ボタン１００と、当該ナースコール用無線呼出発信機に（予め）記憶されている自己の識別ＩＤと同一のＩＤが付されたバーコード１０１ａ、または無線タグ１０１ｂとが備えれている。或いは、図２（ｃ）、（ｄ）の各拡大構成図に示すように、上述の呼出ボタン１００と、患者毎に設定される患者ＩＤが付されたバーコード１０１ａ’、または無線タグ１０１ｂ’とが備えられている。
【００２１】
図３は、本発明の実施例によるナースコールシステムにおいて、端末装置６ａ、６ｂ、・・・の具体的な構成を示すブロック図である。
【００２２】
図３のブロック図に示す端末装置６ａ、６ｂ、・・・は、それぞれ同様な構成であり、当該端末装置の構成各部／回路を制御するための制御回路（以下、ＣＰＵという。）６００と、当該端末装置をナースコール親機５をなすナースコール用データベース装置５ｂに接続させる場合に当該ナースコール用データベース装置に設けられた親機データベース５００とＣＰＵ６００との間の信号／データ伝送路を形成するためのインターフェース（以下、親機側Ｉ／Ｆという。）６０１と、当該端末装置に有線若しくは無線で接続、または当該装置に設けられるバーコードリーダ７ａ、７ｂ、・・・、または無線タグリーダ８ａ、８ｂ、・・・とＣＰＵ６００との間の信号／データ伝送路を形成するためのインターフェース（以下、リーダ側Ｉ／Ｆという。）６０２と、ナースコール用データベース装置５ｂに設けられた親機データベース５００に（予め）記憶されている患者情報のうち、少なくとも識別ＩＤ、および／または患者ＩＤが保存される端末データベース６０３と、バーコードリーダ７ａ、７ｂ、・・・にて読み取られたＩＤ、または患者ＩＤと端末データベース６０３に（予め）保存されている識別ＩＤ、または患者ＩＤとを比較するとともに、無線タグリーダ８ａ、８ｂ、・・・にて読み取られたＩＤ、または患者ＩＤと端末データベース６０３に（予め）保存されている識別ＩＤ、または患者ＩＤとを比較するための比較手段をなす比較回路６０４と、比較回路６０４にて比較された当該ＩＤが一致した場合は、上述の患者情報を表示するための表示手段をなす液晶等の表示部６０５と、表示部６０５を駆動させるための表示部駆動回路６０６と、表示部６０５に表示される患者情報を任意に選択して表示させるための操作機能をなすタッチパネル６０７とが備えられている。
【００２３】
このように構成された本発明の実施例によるナースコールシステムにおいて、以下、具体的な動作について説明する。
【００２４】
なお、本発明の実施例によるナースコールシステムにおいて、ナースコール子機３ａ、３ｂ、・・・、３ａ、３ｂ、・・・、・・・が病室内の各病床に設置されている患者がナースセンター内に在室中の看護師、および／または無線子機９ａ、９ｂ、・・・を携行しながら病院内を巡回中の看護師のうち受け持ち（担当）の看護師を呼び出し（通常のナースコール呼び出し、緊急を要する緊急呼び出し、トイレ介助呼び出し等の呼出種別が異なる呼び出し）て通話を成立させるための動作は、従来例の該当動作と同様であり公知技術であることから説明は省略する。
【００２５】
図１のシステム構成図において、ナースコール親機５をなすナースコール用データベース装置５ｂに設けられた親機データベース５００には、図示しない病院内ネットワークやオーダリングシステムから定期的に転送、例えば、患者の入院時や病床の移動時等に転送されてくる上述の識別ＩＤ、患者ＩＤ、各病床の患者の患者名、救護区分、性別等の患者情報がそれぞれ関連付けられて（予め）記憶されている。
【００２６】
次に、図１のシステム構成図において、図２（ａ）の拡大構成図に示すナースコール用無線呼出発信機１ａ、１ｂ、・・・を携行している患者のうち、ここでは、ナースコール用無線呼出発信機１ａを携行している患者がナースセンター内に在室中の看護師、および／または無線子機９ａ、９ｂ、・・・を携行しながら病院内を巡回中の看護師のうち受け持ち（担当）の看護師に対して通常のナースコール呼び出しを行うために呼出ボタン１００を操作すると、ナースコール用無線呼出発信機１ａに（予め）記憶されている自己の識別ＩＤを含み無線信号に変換された呼出無線信号Ｓ１が発信される。この呼出無線信号Ｓ１は、ナースコール用呼出送受信機２ａ、２ｂ、・・・のうち、当該呼出無線信号を無線にて受信可能なエリア内に設置されたナースコール用呼出送受信機２ａ、２ｂ、・・・にて受信される。ここでは、ナースコール用無線呼出発信機１ａを携行している患者が１０１号室の病室内または１０１号室付近の廊下先に居り、呼出無線信号Ｓ１が１０１号室内および／または１０１号室付近の廊下の天井に取り付けられたナースコール用呼出送受信機２ａにて受信されるものとする。
【００２７】
ナースコール用呼出送受信機２ａは、ナースコール用無線呼出発信機１ａからの呼出無線信号Ｓ１を有線で送信させるための呼出信号Ｓ１ａに変換する。この呼出信号Ｓ１ａは、送受信機ラインＬ１を介して集合廊下灯４ａへと伝送される。
【００２８】
集合廊下灯４ａは、ナースコール用呼出送受信機２ａからの呼出信号Ｓ１ａをもとに、ナースコール用無線呼出発信機１ａを携行している患者からの通常のナースコール呼び出しがあることを検出し、その旨の呼出データ（呼出情報）と集合廊下灯４ａが有する廊下灯番号（詳述せず）とを含む呼出信号（以下、親機呼出信号という。）Ｓ２ａを廊下灯ラインＬ５へと出力するとともに、図示しない呼出表示灯を所定のパターンで点灯／点滅させて呼出報知を行う。この親機呼出信号Ｓ２ａは、廊下灯ラインＬ５、ナースコール制御機１２、通話部ラインＬ６を介してナースコール親機５をなすナースコール通話部５ａと、廊下灯ラインＬ５を介して集合廊下灯４ａを除く他の集合廊下灯４ｂ、・・・とへそれぞれ伝送される。
【００２９】
なお、集合廊下灯４ａを除く他の集合廊下灯４ｂ、・・・では、集合廊下灯４ａからの親機呼出信号Ｓ２ａがナースコール制御機１２からの出力信号でないことにより、通常、親機呼出信号Ｓ２ａを無効であると判断する。
【００３０】
また、ナースコール親機５をなすナースコール通話部５ａは、集合廊下灯４ａからの親機呼出信号Ｓ２ａに含まれている呼出データおよび廊下灯番号をもとに、ナースコール用無線呼出発信機１ａを携行している患者からの通常のナースコール呼び出しがあることを呼出元である患者が１０１号室内または１０１号室付近の廊下先に居る位置情報とともに検出し、その旨の呼出音やメッセージを出力させて呼出報知を行うとともに、集合廊下灯４ａからの親機呼出信号Ｓ２ａを親機機器間ラインＬ３を介してナースコール用データベース装置５ｂへと出力する。
【００３１】
ナースコール親機５をなすナースコール用データベース装置５ｂは、ナースコール通話部５ａと同様、集合廊下灯４ａからの親機呼出信号Ｓ２ａに含まれている呼出データおよび廊下灯番号をもとに、ナースコール用無線呼出発信機１ａを携行している患者からの通常のナースコール呼び出しがあることを呼出元である患者が１０１号室内または１０１号室付近の廊下先に居る位置情報とともに検出し、当該呼出データに含まれている識別ＩＤに関連付けられている患者名、救護区分、性別等の患者情報を親機データベース５００から読み出して位置情報と併せてモニタ等（符号付与せず）に表示させ呼出報知を行うとともに、上述の患者情報および位置情報と受け持ち（担当）の看護師が携行している無線子機９ａ、９ｂ、・・・が有する無線子機番号、ここでは、無線子機９ａが有する無線子機番号とを含む無線子機呼出制御信号Ｓ３を親機機器間ラインＬ３へと出力する。この無線子機呼出制御信号Ｓ３は、親機機器間ラインＬ３、ナースコール通話部５ａ、通話部ラインＬ６を介してナースコール制御機１２へと伝送される。
【００３２】
ナースコール制御機１２は、ナースコール親機５をなすナースコール用データベース装置５ｂからの無線子機呼出制御信号Ｓ３に含まれている患者情報および位置情報を所定の表示フォーマット（詳述せず）に信号／データ処理した後、信号／データ処理された患者情報および位置情報と無線子機番号とを含む無線子機呼出信号Ｓ４を交換機ラインＬ７へと出力する。この無線子機呼出信号Ｓ４は、交換機ラインＬ７、交換機１１、基地局ラインＬ４を介して無線基地局１０へと伝送される。
【００３３】
無線基地局１０は、ナースコール制御機１２からの無線子機呼出信号Ｓ４を無線で送信させるための無線子機呼出無線信号Ｓ４ａに変換する。この無線子機呼出無線信号Ｓ４ａは、無線子機９ａ、９ｂ、・・・へとそれぞれ伝送される。
【００３４】
無線子機９ａ、９ｂ、・・・は、無線基地局１０からの無線子機呼出無線信号Ｓ４ａをナースコール制御機１２からの無線子機呼出信号Ｓ４に変換（信号／データ処理）し、この無線子機呼出信号Ｓ４に含まれている無線子機番号が自端末が有する無線子機番号と一致した場合にのみ患者情報および位置情報を有効であると判断する。ここでは、無線子機９ａのみ無線子機番号が一致され、ナースコール用無線呼出発信機１ａを携行している患者からの通常のナースコール呼び出しがあることを検出し、その旨の呼出音やメッセージを出力させるとともに、所定の表示フォーマット（詳述せず）に信号／データ処理されている患者情報および位置情報を表示させて呼出報知を行う。
【００３５】
次に、図１のシステム構成図において、図２（ａ）の拡大構成図に示すナースコール用無線呼出発信機１ａ、１ｂ、・・・を携行している患者のうち、ここでは、ナースコール用無線呼出発信機１ａを携行している患者に対して手術が行われる場合、端末装置６ａ、６ｂ、・・・を携行しながら病院内を巡回中の看護師のうち、ここでは、端末装置６ａを携行しながら病院内を巡回中の看護師が手術が行われる患者に関する患者情報（患者特定情報）を確認するためには、先ず、図３のブロック図に示す端末装置６ａの親機側Ｉ／Ｆ６０１をナースコール親機５をなすナースコール用データベース装置５ｂに接続させた後、当該ナースコール用データベース装置に設けられた親機データベース５００に（予め）記憶されている上述の識別ＩＤ、患者ＩＤ、患者名、救護区分、性別等の患者情報のうち少なくとも識別ＩＤを読み出し、読み出された患者情報を親機側Ｉ／Ｆ６０１、ＣＰＵ６００を介して端末データベース６０３へと伝送させ保存しておく。
【００３６】
この後、端末装置６ａを携行しながら病院内を巡回中の看護師は、図３のブロック図に示す端末装置６ａのリーダ側Ｉ／Ｆ６０２にリーダラインＬ１０を介してバーコードリーダ７ａを有線で接続し、手術が行われる患者が携行しているナースコール用無線呼出発信機１ａに取り付けられたバーコード１０１ａに付されているＩＤ、すなわち、自己の識別ＩＤ（詳述せず）と同一のＩＤをバーコードリーダ７ａにて読み取ることにより、読み取られたＩＤがリーダラインＬ１０、リーダ側Ｉ／Ｆ６０２、ＣＰＵ６００を介して比較回路６０４へと伝送される。
【００３７】
端末装置６ａの比較回路６０４は、ナースコール用無線呼出発信機１ａに取り付けられたバーコード１０１ａに付されているＩＤと端末データベース６０３に（予め）保存されている患者情報をなす識別ＩＤとを比較し、一致した当該ＩＤに関連付けられた患者情報を読み出させ、読み出された患者情報はＣＰＵ６００へと出力される。
【００３８】
端末装置６ａのＣＰＵ６００は、端末データベース６０３から読み出された患者情報を表示部６０５に表示させるように表示部駆動回路６０６を制御することにより、端末装置６ａを携行しながら病院内を巡回中の看護師は、手術が行われる患者に関する患者情報、すなわち、ナースコール用無線呼出発信機１ａを携行している患者の患者名、救護区分、性別等の患者情報を容易に確認することができる。
【００３９】
なお、上述のように、本発明の実施例では、患者により携行されるナースコール用無線呼出発信機として、自己の識別ＩＤが（予め）記憶されているナースコール用無線呼出発信機１ａ、１ｂ、・・・を適用し、ナースコール用無線呼出発信機１ａ、１ｂ、・・・に取り付けられ上述の識別ＩＤと同一のＩＤが付される記憶媒体を、図２（ａ）の拡大構成図に示すバーコード１０１ａとして説明したが、この記憶媒体はバーコード１０１ａに限定されず、図２（ｂ）の拡大構成図に示す無線タグ１０１ｂが記憶媒体として取り付けられたナースコール用無線呼出発信機１ａ、１ｂ、・・・も好適とされる。
【００４０】
図２（ｂ）の拡大構成図に示すナースコール用無線呼出発信機１ａ、１ｂ、・・・を適用するにあたり、上述の実施例と同様、端末装置６ａを携行しながら病院内を巡回中の看護師は、図３のブロック図に示す端末装置６ａのリーダ側Ｉ／Ｆ６０２にリーダラインＬ１０を介して無線タグリーダ８ａを有線で接続し、手術が行われる患者が携行しているナースコール用無線呼出発信機１ａに取り付けられた無線タグ１０１ｂに付されているＩＤを無線タグリーダ８ａにて読み取ることにより、読み取られたＩＤがリーダラインＬ１０、リーダ側Ｉ／Ｆ６０２、ＣＰＵ６００を介して比較回路６０４へと伝送される。
【００４１】
端末装置６ａの比較回路６０４は、ナースコール用無線呼出発信機１ａに取り付けられた無線タグ１０１ｂに付されているＩＤと端末データベース６０３に（予め）保存されている患者情報をなす識別ＩＤとを比較し、一致した当該ＩＤに関連付けられた患者情報を読み出させ、読み出された患者情報はＣＰＵ６００へと出力される。
【００４２】
端末装置６ａのＣＰＵ６００は、端末データベース６０３から読み出された患者情報を表示部６０５に表示させるように表示部駆動回路６０６を制御することにより、端末装置６ａを携行しながら病院内を巡回中の看護師は、手術が行われる患者に関する患者情報、すなわち、ナースコール用無線呼出発信機１ａを携行している患者の患者名、救護区分、性別等の患者情報を容易に確認することができ、ゆえに、医療過誤を防ぐことができる。
【００４３】
また、上述のように、本発明の実施例では、患者により携行されるナースコール用無線呼出発信機として、自己の識別ＩＤと同一のＩＤが付されるバーコード１０１ａ、または無線タグ１０１ｂが取り付けられた図２（ａ）、（ｂ）の各拡大構成図に示すナースコール用無線呼出発信機１ａ、１ｂ、・・・を適用して動作の説明を行ったが、患者毎に設定された患者ＩＤが付されるバーコード１０１ａ’、または無線タグ１０１ｂ’が取り付けられた図２（ｃ）、（ｄ）の各拡大構成図に示すナースコール用無線呼出発信機１ａ、１ｂ、・・・も好適とされる。
【００４４】
図２（ｃ）、（ｄ）の各拡大構成図に示すナースコール用無線呼出発信機１ａ、１ｂ、・・・を適用するにあたり、上述の実施例と同様、端末装置６ａを携行しながら病院内を巡回中の看護師が、手術が行われるナースコール用無線呼出発信機１ａを携行している患者に関する患者情報を確認するためには、先ず、図３のブロック図に示す端末装置６ａの親機側Ｉ／Ｆ６０１をナースコール親機５をなすナースコール用データベース装置５ｂに接続させた後、当該ナースコール用データベース装置５ｂに設けられた親機データベース５００に（予め）記憶されている上述の識別ＩＤ、患者ＩＤ、患者名、救護区分、性別等の患者情報のうち少なくとも患者ＩＤを読み出し、読み出された患者情報を親機側Ｉ／Ｆ６０１、ＣＰＵ６００を介して端末データベース６０３へと伝送させ保存しておく。
【００４５】
この後、端末装置６ａを携行しながら病院内を巡回中の看護師は、図３のブロック図に示す端末装置６ａのリーダ側Ｉ／Ｆ６０２にリーダラインＬ１０を介してバーコードリーダ７ａ、または無線タグリーダ８ａを有線で接続し、手術が行われる患者が携行しているナースコール用無線呼出発信機１ａに取り付けられたバーコード１０１ａ’、または無線タグ１０１ｂ’に付されている患者ＩＤをコードリーダ７ａ、または無線タグリーダ８ａにて読み取ることにより、読み取られた患者ＩＤがリーダラインＬ１０、リーダ側Ｉ／Ｆ６０２、ＣＰＵ６００を介して比較回路６０４へと伝送される。
【００４６】
端末装置６ａの比較回路６０４は、ナースコール用無線呼出発信機１ａに取り付けられたバーコード１０１ａ’、または無線タグ１０１ｂ’に付されている患者ＩＤと端末データベース６０３に（予め）保存されている患者情報をなす患者ＩＤとを比較し、一致した患者ＩＤに関連付けられた患者情報を読み出させ、読み出された患者情報はＣＰＵ６００へと出力される。
【００４７】
端末装置６ａのＣＰＵ６００は、端末データベース６０３から読み出された患者情報を表示部６０５に表示させるように表示部駆動回路６０６を制御することにより、端末装置６ａを携行しながら病院内を巡回中の看護師は、手術が行われる患者に関する患者情報、すなわち、ナースコール用無線呼出発信機１ａを携行している患者の患者名、救護区分、性別等の患者情報を容易に確認することができ、ゆえに、医療過誤を防ぐことができる。
【００４８】
また、本発明の実施例では、図３のブロック図に示すように、バーコード１０１ａ、１０１ａ’に付されている識別ＩＤと同一のＩＤ、または患者ＩＤと無線タグ１０１ｂ、１０１ｂ’に付されている識別ＩＤと同一のＩＤ、または患者ＩＤとを読み取るための記憶媒体をなすバーコードリーダ７ａ、７ｂ、・・・、または無線タグリーダ８ａ、８ｂ、・・・をリーダラインＬ１０を介して端末装置６ａ、６ｂ、・・・のリーダ側Ｉ／Ｆ６０２に有線で接続して信号／データ伝送路を形成させたが、接続手段は有線に限定されず、バーコードリーダ７ａ、７ｂ、・・・、または無線タグリーダ８ａ、８ｂ、・・・と端末装置６ａ、６ｂ、・・・のリーダ側Ｉ／Ｆ６０２との接続を無線とする、または当該バーコードリーダ、または当該無線タグリーダを端末装置６ａ、６ｂ、・・・に設けることもでき、特に、リーダラインＬ１０の配線が不要となり省線化が図れるばかりでなく、断線を防ぐことができる。
【００４９】
また、本発明の実施例では、図１のシステム構成図に示すように、識別ＩＤ、患者ＩＤ、患者名、救護区分、性別等の患者情報を関連付けて記憶するためのデータベースを、親機データベース５００としてナースコール親機５をなすナースコール用データベース装置５ｂに設けたが、当該データベースが設けられる機器はナースコール用データベース装置５ｂに限定されず、別途、データベース装置として設ける、またはナースコール制御機１２に記憶させることもできる。
【００５０】
さらに、本発明の実施例では、図２（ａ）〜（ｄ）の各拡大構成図に示すように、患者により携行されるナースコール用無線呼出発信機として、呼出ボタン１００を備えた呼出機能を有するナースコール用無線呼出発信機１ａ、１ｂ、・・・を適用したが、この呼出機能のみならずマイクおよびスピーカを備えた通話機能を有するナースコール用無線呼出発信機も好適とされ、当該ナースコール用無線呼出発信機を携行している患者が呼出先である呼出応答した看護師との間で通話を成立させることができる。
【００５１】
【発明の効果】
上述の説明から明らかなように、本発明のナースコールシステムによれば、ナースコール親機のデータベースに関連付けられて（予め）記憶されている識別ＩＤ、患者ＩＤ、患者名、救護区分、性別等の患者情報から少なくとも識別ＩＤ、または患者ＩＤを読み出して看護師が携行する端末装置の端末データベースに保存させた後、端末装置に有線若しくは無線で接続、または当該端末装置に設けられるリーダにて、患者により携行され呼出機能を有するナースコール用無線呼出発信機に取り付けられたバーコード、または無線タグに付されている自己の識別ＩＤと同一のＩＤ、または患者ＩＤを読み取り、読み取られたＩＤまたは患者ＩＤと端末データベースに（予め）保存されている識別ＩＤとを比較手段をなす比較回路にて比較させ、一致した場合は、表示手段をなす表示部に患者情報を表示させることができる。これにより、端末装置を携行している看護師、例えば、病院内を巡回中の看護師にとっては、手術が行われる患者に関する患者情報の確認が容易となり医療過誤を防ぐことができる。一方、患者にとっては、ナースコール用無線呼出発信機のみの携行で携行性が優れ使い勝手がよく利便性が高められる。
【００５２】
また、本発明のナースコールシステムによれば、ナースコール用無線呼出発信機が患者により落とされる等して破損した場合においても、当該ナースコール用無線呼出発信機に取り付けられたバーコード、または無線タグに自己の識別ＩＤと同一のＩＤ、または患者ＩＤを端末装置に有線若しくは無線で接続、または当該装置に設けられたリーダ（バーコードリーダ、無線タグリーダ）にて読み取ることにより、破損したナースコール用無線呼出発信機を容易に確認することができる。
【００５３】
さらに、本発明のナースコールシステムによれば、自己の識別ＩＤと同一のＩＤ、または患者ＩＤを、ナースコール用無線呼出発信機に取り付けられたバーコード、または無線タグに付して、端末装置の端末データベースに（予め）保存させた患者情報を利用できることにより、バーコード用、または無線タグ用のデータベースを新規に作成せずに済み当該端末装置の回路構成の簡素化が図れる。
【図面の簡単な説明】
【図１】図１は、本発明の実施例によるナースコールシステムを示すシステム構成図である。
【図２】図２（ａ）〜（ｄ）は、本発明の実施例によるナースコールシステムにおいて、ナースコール用無線呼出発信機の形態例を示す拡大構成図である。
【図３】図３は、本発明の実施例によるナースコールシステムにおいて、端末装置の具体的な構成を示すブロック図である。
【符号の説明】
１ａ、１ｂ、・・・  ・・・・・ナースコール用無線呼出発信機
１００・・・・・呼出ボタン
１０１ａ、１０１ａ’・・・・・バーコード
１０１ｂ、１０１ｂ’・・・・・無線タグ
２ａ、２ｂ、・・・  ・・・・・ナースコール用呼出送受信機
５・・・・・ナースコール親機
５００・・・・・親機データベース（データベース）
６ａ、６ｂ、・・・  ・・・・・端末装置
６０３・・・・・端末データベース
６０４・・・・・比較回路（比較手段）
６０５・・・・・表示部（表示手段）
７ａ、７ｂ、・・・  ・・・・・バーコードリーダ（リーダ）
８ａ、８ｂ、・・・  ・・・・・無線タグリーダ（リーダ）
【図１】
2005026791.tif 000003
【図２】
2005026791.tif 000004
【図３】
2005026791.tif 000005